(57)【要約】【課題】ソフトルアーフィッシングで用いられる従来のワームに、ジグヘッドのフックを正確に刺して装着するには相当の慣れやコツが必要であった。装着をし直すことでワームに損傷を与えて千切れたり、ジグヘッドからワームがずれたり外れたりするといった不都合があった。【解決手段】  ワーム本体（１）は、弾性及び伸縮性を有する樹脂素材からなり、ワーム本体（１）の先端部（１ａ）に固定穴（２ａ）を開孔した固定部（２）が形成され、ワーム本体（１）の平面側にワーム本体（１）の長手方向に沿って、有底のスリット（１ｄ）が開孔形成されてワーム本体（１）を構成することで、ワーム本体（１）にジグヘッド（３）のフック（３ｂ）を正確に位置決め固定することができ、初心者や熟練者にかかわらず誰でも正確かつ容易にワーム本体（１）にジグヘッド（３）を装着することができる。【選択図】図５
2020080864.tif 000002
【特許請求の範囲】
【請求項１】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成されてワーム本体を構成し、ジグヘッドのウェイトまたはウェイト相当部分に装着されたフックを、ワーム本体の先端部のほぼ中心軸に突き刺すとともに、ジグヘッドのウェイトに装着されたラインアイ下方のくびれに、ワーム本体に形成された固定部に開孔した固定穴を引っ掛けて、ワーム本体にジグヘッドを装着することを特徴とするワームのジグヘッド取付構造。
【請求項２】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されてワーム本体を構成し、ジグヘッドのウェイトまたはウェイト相当部分に装着されたフックの先端部を、ワーム本体の先端部のほぼ中心軸から有底のスリットの内部の前側立壁にかけて突き刺して貫通させ、フックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着することを特徴とするワームのジグヘッド取付構造。
【請求項３】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されるとともに、ワーム本体の先端部のほぼ中心軸から有底のスリットの内部の前側立壁にかけてフックを通すことができる径のフック通し孔を開孔してワーム本体を構成し、ジグヘッドのウェイトまたはウェイト相当部分に装着されたフックの先端部を、ワーム本体の先端部のほぼ中心軸から有底のスリットの前側立壁にかけて開孔したフック通し孔にワーム本体の先端部から通してフックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着することを特徴とするワームのジグヘッド取付構造。
【請求項４】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端からワーム本体の長手方向に沿って、天井を有するスリットを形成してワーム本体を構成し、ジグヘッドのウェイトまたはウェイト相当部分に装着されたフックの先端部を、スリットの天井からワーム本体の平面側に突き出るように突き刺すとともに、スリットの内部にフックの直線部を収容し、ジグヘッドのウェイトに装着されたラインアイ下方のくびれに、ワーム本体に形成された固定部に開孔した固定穴を引っ掛けて、ワーム本体にジグヘッドを装着することを特徴とするワームのジグヘッド取付構造。
【請求項５】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有するスリットを形成するとともに、ワーム本体の平面側にワーム本体の長手方向に沿って、有底のスリットが開孔形成され、底面側と平面側の両方のスリットは、内部で連続した同一の空間を形成され、平面側の有底のスリットの底部分が抜止部として作用することを特徴とする請求項４に記載のワームのジグヘッド取付構造。
【請求項６】
ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有する底面側のスリットを形成するとともに、ワーム本体の平面側にワーム本体の長手方向に沿って、有底のスリットが開孔され、底面側と平面側の両方のスリットの内部で連続した同一の空間が形成され、平面側の有底のスリットの底部分が抜止部として作用し、さらに、平面側の有底のスリットの底部分に、底面側に向かって平面側に形成された有底のスリットの長手方向と直行する方向の幅よりも狭いスリットが貫通開孔して形成されていることを特徴とする請求項４または請求項５の何れかに記載のワームのジグヘッド取付構造。
【請求項７】
該固定部は、平面視面積をワーム本体の先端部の幅よりも拡張して大きく形成したことを特徴とする請求項１乃至請求項６の何れかに記載のワームのジグヘッド取付構造。
【請求項８】
該固定部は、平面視面積をワーム本体の先端部の幅よりも拡張して大きく形成するとともに、該固定部の平面部の中程かつ固定穴の周囲の厚みを薄肉とした凹部を形成したことを特徴とする請求項１乃至請求項７の何れかに記載のワームのジグヘッド取付構造。
【発明の詳細な説明】
【技術分野】
【０００１】  本発明は、ソフトルアーフィッシングで使用するワームに関し、特にワームに釣り針やジグヘッドを取り付けるための構造に関する。
【背景技術】
【０００２】  従来、ソフトルアーフィッシングで使用されるワームにジグヘッドを装着したジグヘッドリグと呼ばれる仕掛けがよく知られている。ワームは、柔軟性を有するＰＶＣ（ポリ塩化ビニール）やエラストマーから形成されており、ウェイト（錘）とフック（釣り針）が一体となったジグヘッドを装着してジグヘッドリグとして使用される。例えば、特開平２０００−６０３６２号公報（特許文献１）のワーム抜止の図１及び図７、そして本発明の図３８の従来の一般的なジグヘッドリグを示す図である。ジグヘッドリグは、図３８に示されるように、芋虫状のワーム（１１）の先端の中心からジグヘッド（３）のフック（３ｂ）の先端部（３ｂ−１）をワーム（１１）の中心軸に沿って刺し込み、ワーム（１１）の側面からフック（３ｂ）の先端部（３ｂ−１）を突出させ、フック（３ｂ）の湾曲部（３ｂ−２）によって抜け落ちないように装着される。
【先行技術文献】
【特許文献】
【０００３】
【特許文献１】特開平２０００−６０３６２号公報
【発明の概要】
【発明が解決しようとする課題】
【０００４】  ところでＰＶＣで形成されたワームは、安価であることやフックを刺しやすいといった利点があるため一般的に使用されている。しかしながら、フックの刺し直し、投げたときの遠心力、魚がついばむ、水中の障害物に引っかかるなどによって、とても千切れやすいものであるが、安価であるため使い捨てで使用されているのが実状である。水中に使い捨てられたワームは、生分解しないため環境負荷という観点からしても望ましいものではない。【０００５】  また、エラストマーで形成されたワームは、千切れないという利点がある反面、素材の特性から極めてフックが刺しづらく、ワームの中心軸に沿って真直ぐ突き刺すことができずに偏って装着してしまうことが多く、適切に装着しづらいという欠点がある。【０００６】  図４０は、前述したワームの課題を示した図である。図４０（Ａ）は、ワームの先端中心からフックの先端をワームの中心軸に沿って真直ぐ刺せずに、偏って装着された状態を示した図である。フックをワームの中心軸に沿って真直ぐ装着するには相当のコツや慣れを要するもので、繰り返し装着のやり直しをすることによる損傷や、薄肉になるように偏ってフックが装着された場合は、後述するワームの千切れにつながる要因にもなる。【０００７】  図４０（Ｂ）は、ジグヘッドがワームから抜ける方向にずれた状態を示した図である。ジグヘッドリグを使用するソフトルアーフィッシングでは、投げたジグヘッドリグをリールで巻き取って引き寄せながら魚からのバイトを誘うが、その際、投げたときの遠心力、魚がついばむ、水中の障害物に引っかかるなどによって、ワームがジグヘッドから抜けようとする作用が生じて自ずとずれてしまう。その結果、バイトチャンス（魚がジグヘッドリグをかじるチャンス）を取り逃がしてしまうということになる。【０００８】  図４０（Ｃ）は、ワーム自体の千切れやすさを示した図である。特にＰＶＣで形成されたワームは千切れやすい。ワームは、図３８に示されるように、ワーム（１１）の側面からフック（３ｂ）の先端部（３ｂ−１）を突出させてフック（３ｂ）の湾曲部（３ｂ−２）によって抜け落ちないように装着されているが、図４０（Ｂ）で説明したとおり、投げたときの遠心力、魚がついばむ、水中の障害物に引っかかるなどによるワームがジグヘッドから抜けようとする作用によって、ワームのフック（３ｂ）の湾曲部（３ｂ−２）が接する部分に負担が生じ、この部分からワームが千切れることになる。【０００９】  図４０（Ｄ）は、天地があるデザインのワームにフックが傾いて装着された状態を示した図である。図４０（Ｄ）の上図は、ワームがセンターに正しく装着された状態、下図は、ワームが傾いて装着された状態である。このように、天地があるデザインのワームの天地を明確に定めて装着することは相当のコツや慣れを要し、装着技術の熟練度によって本来の思惑どおりに装着することは極めて難しい。また、ワームが傾いて装着されている場合、ラインを引っ張って魚を誘う際に、ワームが真直ぐ引かれずに斜めに移動したり、くるくると回転したりしてしまうといった現象が生じ、明らかに釣果に悪影響が認められるものである。さらに、ラインを引っ張るテンションを抜いてフリーで沈下させる際も、同様の現象が生じ、特にフリーで沈下させる際に生じるワームのスパイラル回転は、釣果において致命的な影響が認められる。【００１０】  なお、特許文献１のワーム抜止の図１及び図７は、フックの直線部分にワームの抜止が備えられたものであるが、抜止があることによって、ワームへのフックの装着がより難儀になり、ましてや前述の図４０に示した諸課題が解消されるものでもない。【００１１】  そこで本発明は、前記課題を解消し、ワームにジグヘッドを正確かつ容易に装着が可能であること、付け替えや再利用が容易であること、ジグヘッドとワームのずれを防止できること、ジグヘッドからワームの抜けを防止できること、千切れるなど損傷を防止できること、安定した釣果を得られること、環境負荷の低減などの優れた効果を実現したワームのジグヘッド取付構造を提供することを目的とするものである。
【課題を解決するための手段】
【００１２】  上記課題は本発明の請求項１によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成されてワーム本体を構成し、ジグヘッドのウェイトまたはウェイト相当部分に装着されたフックを、ワーム本体の先端部のほぼ中心軸に突き刺すとともに、ジグヘッドのウェイトに装着されたラインアイ下方のくびれに、ワーム本体に形成された固定部に開孔した固定穴を引っ掛けて、ワーム本体にジグヘッドを装着することで解決される。【００１３】  上記課題は本発明の請求項２によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されてワーム本体を構成し、ジグヘッドのウェイトまたはウェイト相当部分に装着されたフックの先端部を、ワーム本体の先端部のほぼ中心軸から有底のスリットの内部の前側立壁にかけて突き刺して貫通させ、フックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着することで解決される。【００１４】  上記課題は本発明の請求項３によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されるとともに、ワーム本体の先端部のほぼ中心軸から有底のスリットの内部の前側立壁にかけてフックを通すことができる径のフック通し孔を開孔してワーム本体を構成し、ジグヘッドのウェイトまたはウェイト相当部分に装着されたフックの先端部を、ワーム本体の先端部のほぼ中心軸から有底のスリットの前側立壁にかけて開孔したフック通し孔にワーム本体の先端部から通してフックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着することで解決される。【００１５】  上記課題は本発明の請求項４によれば、ソフトルアーフィッシングで用いられるウェイトまたはウェイト相当部分と、ラインを結ぶためのラインアイと、釣り針であるフックとからなるジグヘッドを装着して、ジグヘッド���グとして使用されるワームであって、ワーム本体は、弾性及び伸縮性を有する樹脂素材からなり、ワーム本体の先端部に固定穴を開孔した固定部が形成され、ワーム本体の底面側にワーム本体の先端からワーム本体の長手方向に沿って、天井を有するスリットを形成してワーム本体を構成し、ジグヘッドのウェイトまたはウェイト相当部分に装着されたフックの先端部を、スリットの天井からワーム本体の平面側に突き出るように突き刺すとともに、スリットの内部にフックの直線部を収容し、ジグヘッドのウェイトに装着されたラインアイ下方のくびれに、ワーム本体に形成された固定部に開孔した固定穴を引っ掛けて、ワーム本体にジグヘッドを装着することで解決される。【００１６】  上記課題は本発明の請求項５によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有するスリットを形成するとともに、ワーム本体の平面側にワーム本体の長手方向に沿って、有底のスリットが開孔形成され、底面側と平面側の両方のスリットは、内部で連続した同一の空間を形成され、平面側の有底のスリットの底部分が抜止部として作用することで解決される。【００１７】  上記課題は本発明の請求項６によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有する底面側のスリットを形成するとともに、ワーム本体の平面側にワーム本体の長手方向に沿って、有底のスリットが開孔され、底面側と平面側の両方のスリットの内部で連続した同一の空間が形成され、平面側の有底のスリットの底部分が抜止部として作用し、さらに、平面側の有底のスリットの底部分に、底面側に向かって平面側に形成された有底のスリットの長手方向と直行する方向の幅よりも狭いスリットが貫通開孔して形成されていることで解決される。【００１８】  上記課題は本発明の請求項７によれば、該固定部は、平面視面積をワーム本体の先端部の幅よりも拡張して大きく形成したことで解決される。【００１９】  上記課題は本発明の請求項８によれば、該固定部は、平面視面積をワーム本体の先端部の幅よりも拡張して大きく形成するとともに、該固定部の平面部の中程固定穴の周囲の厚みを薄肉とした凹部を形成したことで解決される。
【発明の効果】
【００２０】  本発明の請求項１によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成されてワーム本体を構成し、ジグヘッドのウェイトまたはウェイト相当部分に装着されたフックを、ワーム本体の先端部のほぼ中心軸に突き刺すとともに、ジグヘッドのウェイトに装着されたラインアイ下方のくびれに、ワーム本体に形成された固定部に開孔した固定穴を引っ掛けて、ワーム本体にジグヘッドを装着するようにしたので、ワーム本体は、ジグヘッドのラインアイの下のくびれに固定部の固定穴を伸縮性を利用して引っ掛けて固定していることで、ウェイトがワーム本体の先端部に押し付け固定されることになり、より確実にワーム本体にジグヘッドを装着することができるようになる。また、ワーム本体とフックとの突き刺し固定と、固定穴とラインアイとの固定とで、ワーム本体に装着されたジグヘッドが回転（フックの直線部を軸とする回転）することなく天地を有するジグヘッドであっても確実な装着をすることができる。【００２１】  本発明の請求項２によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されてワーム本体を構成し、ジグヘッドのウェイトまたはウェイト相当部分に装着されたフックの先端部を、ワーム本体の先端部のほぼ中心軸から有底のスリットの内部の前側立壁にかけて突き刺して貫通させ、フックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着するようにしたので、請求項１の効果に加えてスリットによってワーム本体にフックを正確に位置決め固定することができ、初心者や熟練者にかかわらず誰でも正確かつ容易にワーム本体にジグヘッドを装着することができる。【００２２】  本発明の請求項３によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の平面側にワーム本体の長手方向に沿って、有底のスリットが開孔形成されるとともに、ワーム本体の先端部のほぼ中心軸から有底のスリットの内部の前側立壁にかけてフックを通すことができる径のフック通し孔を開孔してワーム本体を構成し、ジグヘッドのウェイトまたはウェイト相当部分に装着されたフックの先端部を、ワーム本体の先端部のほぼ中心軸から有底のスリットの前側立壁にかけて開孔したフック通し孔にワーム本体の先端部から通してフックの先端をスリットの開孔から出すとともに、ジグヘッドのウェイトまたはウェイト相当部分に装着されたラインアイ下方のくびれに、ワーム本体に形成された固定部に開孔した固定穴を引っ掛けて、ワーム本体にジグヘッドを装着するようにしたので、ワーム本体は、ジグヘッドのラインアイの下のくびれに固定部の固定穴を伸縮性を利用して引っ掛けて固定していることで、ウェイトがワーム本体の先端部に押し付け固定されることになり、より確実にワーム本体にジグヘッドを装着することができるようになる。また、ワーム本体のフック通し孔にフックを通しての固定と、固定穴とラインアイとの固定とで、ワーム本体に装着されたジグヘッドが回転（フックの直線部を軸とする回転）することなく天地を有するジグヘッドであっても正確かつ容易にワームに傷つけることなく装着をすることができる。【００２３】  本発明の請求項４によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端からワーム本体の長手方向に沿って、天井を有するスリットを形成してワーム本体を構成し、ジグヘッドのウェイトまたはウェイト相当部分に装着されたフックの先端部を、スリットの天井からワーム本体の平面側に突き出るように突き刺すとともに、スリットの内部にフックの直線部を収容し、ジグヘッドのウェイトに装着されたラインアイ下方のくびれに、ワーム本体に形成された固定部に開孔した固定穴を引っ掛けて、ワーム本体にジグヘッドを装着するようにしたので、前記した効果に加えて、スリットにフックの直線部と湾曲部の一部がスリットの間に挟まれて保持されることで、ワーム本体にジグヘッドを正確かつ容易に装着をすることができる。【００２４】  本発明の請求項５によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有するスリットを形成するとともに、ワーム本体の平面側にワーム本体の長手方向に沿って、有底のスリットが開孔形成され、底面側と平面側の両方のスリットは、内部で連続した同一の空間を形成され、平面側の有底のスリットの底部分が抜止部として作用するようにしたので、前記した効果に加えて、フックの直線部から湾曲部にかけての部分が抜止部に係止されることによって、フックの下方へのずれが抑止され、ワーム本体からずれたり外れたりすることなく確実に保持して��着することが可能となる。【００２５】  本発明の請求項６によれば、ソフトルアーフィッシングで用いられるウェイトまたはウェイト相当部分と、ラインを結ぶためのラインアイと、釣り針であるフックとからなるジグヘッドを装着して、ジグヘッドリグとして使用されるワームであって、ワーム本体は、弾性及び伸縮性を有する樹脂素材からなり、ワーム本体の先端部に固定穴を開孔した固定部が形成され、ワーム本体の底面側にワーム本体の先端部からワーム本体の長手方向に沿って、天井を有する底面側のスリットを形成するとともに、ワーム本体の平面側にワーム本体の長手方向に沿って、有底のスリットが開孔され、底面側と平面側の両方のスリットの内部で連続した同一の空間が形成され、平面側の有底のスリットの底部分が抜止部として作用し、さらに、平面側の有底のスリットの底部分に、底面側に向かって平面側に形成された有底のスリットの長手方向と直行する方向の幅よりも狭いスリットが貫通開孔して形成されているので、この底面方向に貫通開孔させた部分からフックを通してジグヘッドを装着することも可能となり、さらなる装着の容易性と確実な装着を実現させたものである。【００２６】  本発明の請求項７によれば、該固定部は、平面視面積をワーム本体の先端部の幅よりも拡張して大きく形成したので、投げたジグヘッドリグをリールなどで巻き取るときに、平面視面積をワーム本体の先端部の幅よりも拡張して大きく形成した固定部で水の抵抗を受けやすくなり、巻き取るスピードを手もとで敏感に感じやすくなるため、ワーム本体のスピードを手もとで敏感に感じながら、水中での動きを細かくコントロールすることができるようになる。また、ラインのテンションを抜いて沈下させたときに、沈下スピードを下げることもでき、その結果、バイトチャンスが増加するなど釣果に好影響を与えることが可能となった。【００２７】  本発明の請求項８によれば、該固定部は、平面視面積をワーム本体の先端部の幅よりも拡張して大きく形成するとともに、該固定部の平面部の中程かつ固定穴の周囲の厚みを薄肉とした凹部を形成したので、凹部によって固定穴の周囲がより柔軟になることと、固定部と凹部との境目が指掛けとなることで、固定穴をより容易に拡げやすくなり、ジグヘッドのフックやウェイトを押し込む際の装着容易性を格段に向上させた。【００２８】  以上説明した本発明のワームのジグヘッド取付構造の効果を、あらためて以下にまとめる。
（ａ）ワーム本体（１）にジグヘッド（３）を装着する際、ジグヘッド（３）にラインが予め装着されている状態であっても容易に装着や交換ができる。
（ｂ）ワーム本体（１）に天地があるデザインや、その他様々なデザインやサイズのワームであっても、正確かつ容易に装着ができる。
（ｃ）固定穴（２ａ）でラインアイ（３ｃ）を引っ張るように固定することで、ウェイト（３ａ）とワームの先端部（１ａ）と確実に固定されるとともに、ワーム本体に突き刺したりフック通し孔（１ｅ）やスリット（１ｄ）でフック（３ｂ）を保持するので、ずれたり外れたりせず確実な装着ができる。
（ｄ）初心者、熟練者にかかわらず、誰でも正確かつ容易に装着ができる。
（ｅ）正確かつ容易に確実な装着ができるので、装着のやり直しがなくなりワームに無駄に損傷を与えず、千切れを防止できる。
（ｆ）千切れないので水中に使い捨てになることがなくなり環境負荷の低減を実現した。
（ｇ）安定した釣果が得られる。
【図面の簡単な説明】
【００２９】
【図１】第１実施例のワーム本体の平面図である。
【図２】第１実施例のワーム本体の正面図である。
【図３】図１のＡ−Ａ線断面図である。
【図４】ジグヘッドを示す図である。
【図５】図３にジグヘッドを装着した状態を示す図である。
【図６】第１実施例のワーム本体にジグヘッドを装着する手順を示す図である。
【図７】第１実施例のワーム本体にジグヘッドを装着する手順を示す図である。
【図８】第１実施例のワーム本体にジグヘッドを装着する手順を示す図である。
【図９】第１実施例のワーム本体にジグヘッドを装着する手順を示す図である。
【図１０】第２実施例のワーム本体の平面図である。
【図１１】図１０のＡ−Ａ線断面図である。
【図１２】図１１にジグヘッドを装着した状態を示す図である。
【図１３】第３実施例のワーム本体の平面図である。
【図１４】第３実施例のワーム本体の正面図である。
【図１５】第３実施例のワーム本体の底面図である。
【図１６】第３実施例のワーム本体の左側面図である。
【図１７】第３実施例のワーム本体の右側面図である。
【図１８】図１３のＡ−Ａ線断面図にジグヘッドを装着した状態を示した図である。
【図１９】図１８のＢ−Ｂ線拡大断面図である。
【図２０】第３実施例のワーム本体にジグヘッドを装着する手順を示す図である。
【図２１】第４実施例のワーム本体の平面図である。
【図２２】第４実施例のワーム本体の正面図である。
【図２３】第４実施例のワーム本体の底面図である。
【図２４】図２１のＡ−Ａ線断面図にジグヘッドを装着した状態を示した図である。
【図２５】図２４のＢ−Ｂ線拡大断面図である。
【図２６】第５実施例のワーム本体の平面図である。
【図２７】第５実施例のワーム本体の正面図である。
【図２８】第５実施例のワーム本体の底面図である。
【図２９】図２６のＡ−Ａ線断面図にジグヘッドを装着した状態を示した図である。
【図３０】図２９のＢ−Ｂ線拡大断面図である。
【図３１】第６実施例のワーム本体の平面図である。
【図３２】第６実施例のワーム本体の正面図である。
【図３３】第６実施例のワーム本体の底面図である。
【図３４】第６実施例のワーム本体の左側面図である。
【図３５】第６実施例のワーム本体の右側面図である。
【図３６】図３１のＡ−Ａ線断面図にジグヘッドを装着した状態を示した図である。
【図３７】第６実施例の固定穴を拡げた状態を示した図である。
【図３８】従来の一般的なジグヘッドリグを示した図である。
【図３９】ジグヘッドの他の例を示した図である。
【図４０】従来のワームの課題を示した図である。
【発明を実施させるための形態】
【実施例１】
【００３０】  以下、本発明の第１実施例を、図面を参照して説明する。図１は、第１実施例のワーム本体の平面図、図２は、第１実施例のワーム本体の正面図、図３は、図１のＡ−Ａ線断面図、図４は、ジグヘッドを示す図、図５は、図３にジグヘッドを装着した状態を示す図、図６乃至図９は、第１実施例のワーム本体にジグヘッドを装着する手順を示す図である。【００３１】  まず、ワーム本体（１）の詳細な説明をする前に、本発明の第１実施例のワーム本体（１）に装着するジグヘッド（３）の構成について図４のジグヘッド（３）を用いて説明をする。なお、ジグヘッドには様々なサイズや形状があるが、以下の説明で示す各図においては、図４に示す極めて一般的な形状のジグヘッドを用いて図示する。ジグヘッド（３）は、図４に示されるように、錘としてのウェイト（３ａ）、釣り針としてのフック（３ｂ）、釣り糸であるライン（４）を結びつける環状のラインアイ（３ｃ）から構成される。また、ウェイト（３ａ）から突設したフック（３ｂ）は、直線部（３ｂ−３）、湾曲部（３ｂ−２）、先端部（３ｂ−１）と連続して一連に形成される。このように構成されたジグヘッド（３）をワーム本体（１）に装着することで、ジグヘッドリグと呼ばれる仕掛けとなる。なお、図４においてジグヘッド（３）のウェイト（３ａ）はボール状で示したが、図３９（Ａ）に示されるように、ウェイトの代わりにフック（３ｂ）の直線部を延設して曲げ部を形成してその先端にラインアイ（３ｃ）が形成されたもの、図３９（Ｂ）に示されるように、フック（３ｂ）の直線部を延設してその先端にラインアイ（３ｃ）を形成し、その下に円盤状のウェイト（３ａ）を備えたもの、その他円錐状、角錐状ものなど様々な形状で形成されたものでも良い。何れにしてもラインアイ（３ｃ）の下部にウェイト、またはそれに代わる部分があれば本発明のワーム本体（１）に装着することができる。【００３２】  次に、本発明の第１実施例のワーム本体（１）について説明をする。図１乃至図３に示されるようにワーム本体（１）は、ワーム本体（１）の先端部（１ａ）に固定部（２）が形成されるとともに、固定部（２）には、固定穴（２ａ）がワーム本体（１）の平面から底面方向に開孔して形成されている。また、ワーム本体（１）の平面部には長手方向に沿ってスリット（１ｄ）が開孔形成されてワーム本体（１）の全体が構成される。【００３３】  また、ワーム本体（１）は、優れた弾性及び伸縮性を有するエラストマーから形成されており、従来のワーム素材として一般的に使用されているＰＶＣと比較すると、伸縮性が高く引き裂き強度にも優れるといった特性がある。これによって従来の課題、特に図４０（Ｃ）の説明で述べた千切れやすさが解消され、本発明のワーム本体（１）を形成する素材として好適に選択されるものである。なお、ワーム本体（１）を形成する素材は、優れた柔軟性と耐久性があり千切れることのない素材であれば特にエラストマーに限定することなく用いることができる。もちろんＰＶＣであっても将来的に改良されて、優れた柔軟性と耐久性があり千切れることのない特性を有するようになればＰＶＣを素材として用いることも吝かではない。【００３４】  また、エラストマ��という素材は、フック（３ｂ）を思ったとおりに真直ぐに刺すことが難しいという特性があるが、本実施例では、ワーム本体（１）の先端部（１ａ）のほぼ中心からフック（３ｂ）の先端部（３ｂ−１）を突き刺して、ワーム本体（１）の長手方向に沿って開孔形成されたスリット（１ｄ）の前側立壁（１ｄ−１）から先端部（３ｂ−１）を突き出してフック（３ｂ）を装着するので、フック（３ｂ）の直線部（３ｂ−３）のごく短い区間だけを突き刺せばよく、フック（３ｂ）を思ったとおりに真直ぐに刺しづらい特性のエラストマーであっても容易に装着することができる。【００３５】  以上説明したように構成された第１実施例のワーム本体（１）に、ジグヘッド（３）を装着する手順について図５乃至図９を参照して詳細に説明する。図５は、図３のＡ−Ａ線断面図にジグヘッド（３）を装着した状態を示す図、図６乃至図９は、第１実施例のワーム本体（１）にジグヘッド（３）を装着する手順を示した図で順を追って説明する。なお、何れの図もジグヘッド（３）にライン（４）が予め装着されていることを前提として示している。【００３６】（手順１：図６参照）
ワーム本体（１）の先端部（１ａ）のほぼ中心に、固定部（２）がフック（３ｂ）の下方になるようにして、フック（３ｂ）の先端部（３ｂ−１）を突き刺す。
（手順２：図７参照）
フック（３ｂ）の先端部（３ｂ−１）がワーム本体（１）の長手方向に沿って開孔形成されたスリット（１ｄ）の前側立壁（１ｄ−１）から突き出し、スリット（１ｄ）の上方開放部から先端部（３ｂ−１）と湾曲部（３ｂ−２）を露出させてフック（３ｂ）を装着する。
（手順３：図８参照）
固定部（２）を引っ張り、固定穴（２ａ）をウェイト（３ａ）の下方からくぐらせる。
（手順４：図９参照）
ウェイト（３ａ）の下方から上方にくぐらせた固定穴（２ａ）をジグヘッド（３）のラインアイ（３ｃ）の下のくびれに伸縮性を利用して引っ掛けて固定して装着完了となる。【００３７】  以上のようにして、ジグヘッド（３）が装着された第１実施例のワーム本体（１）は、ジグヘッド（３）のラインアイ（３ｃ）の下に固定部（２）の固定穴（２ａ）を伸縮性を利用して引っ掛けて固定していることで、ウェイト（３ａ）もワーム本体（１）の先端部（１ａ）に押し付け固定されることになり、より確実にワーム本体（１）にジグヘッド（３）を装着することができるようになる。また、ワーム本体（１）とフック（３ｂ）との突き刺し固定と、固定穴（２ａ）とラインアイ（３ｃ）との固定とで、ワーム本体（１）に装着されたジグヘッド（３）が回転（フック（３ｂ）の直線部（３ｂ−３）を軸とする回転）することなく天地を有するジグヘッド（３）であっても確実な装着をすることができる。
【実施例２】
【００３８】  以下、本発明の第２実施例を、図面を参照して説明する。図１０は、第２実施例のワーム本体の平面図、図１１は、図１０のＡ−Ａ線断面図、図１２は、図１１にジグヘッドを装着した状態を示す図である。【００３９】  次に、本発明の第２実施例のワーム本体（１）について説明をする。図１０乃至図１２に示されるようにワーム本体（１）は、ワーム本体（１）の先端部（１ａ）に固定部（２）が備えられるとともに、固定部（２）には固定穴（２ａ）がワーム本体（１）の平面から底面方向に開孔して形成されている。また、ワーム本体（１）の平面部には長手方向に沿ってスリット（１ｄ）が開孔形成されるとともに、ワーム本体（１）の先端部（１ａ）からスリット（１ｄ）内に貫通するようにフック通し穴（１ｅ）が開孔形成されてワーム本体（１）の全体が構成される。なお、本実施例においてワーム本体（１）は、第１実施例と同様に、優れた弾性及び伸縮性を有するエラストマーから形成されているので、材料についての説明は省略する。【００４０】  本発明の第２実施例のワーム本体（１）は、第１実施例のワーム本体（１）の構成に、フック通し穴（１ｅ）を加えたことを特徴としている。実施例１では、ワーム本体（１）の先端部（１ａ）のほぼ中心からフック（３ｂ）の先端部（３ｂ−１）を突き刺して、ワーム本体（１）の長手方向に沿って開孔形成されたスリット（１ｄ）の前側立壁（１ｄ−１）から先端部（３ｂ−１）を突き出してフック（３ｂ）を装着したが、新たに形成されたワーム本体（１）の先端部（１ａ）からスリット（１ｄ）内に貫通開孔したフック通し穴（１ｅ）にフック（３ｂ）の先端部（３ｂ−１）を通し入れるだけでワーム本体（１）を傷つけずに容易に装着することができる。【００４１】  以上説明したように構成された第２実施例のワーム本体（１）にジグヘッド（３）を装着する手順については、実施例１のワーム本体（１）にフック（３ｂ）を刺して装着するか第２実施例のワーム本体（１）にフック（３ｂ）を通して装着するかの相違だけで基本的に同一であるので図６乃至図９を用いて説明をする。【００４２】（手順１：図６参照）
ワーム本体（１）の先端部（１ａ）のほぼ中心に開孔したフック通し穴（１ｅ）に、固定部（２）がフック（３ｂ）の下方になるようにして、フック（３ｂ）の先端部（３ｂ−１）を通し入れる。
（手順２：図７参照）
フック（３ｂ）の先端部（３ｂ−１）をワーム本体（１）の長手方向に沿って開孔形成されたスリット（１ｄ）の前側立壁（１ｄ−１）に開孔したフック通し穴（１ｅ）から出し、スリット（１ｄ）の上方開放部から先端部（３ｂ−１）と湾曲部（３ｂ−２）を露出させてフック（３ｂ）を装着する。
（手順３：図８参照）
固定部（２）を引っ張り、固定穴（２ａ）をウェイト（３ａ）の下方からくぐらせる。
（手順４：図９参照）
ウェイト（３ａ）の下方から上方にくぐらせた固定穴（２ａ）をジグヘッド（３）のラインアイ（３ｃ）の下のくびれに伸縮性を利用して引っ掛けて固定して装着完了となる。【００４３】  以上のようにして、ジグヘッド（３）が装着された第２実施例のワーム本体（１）は、ジグヘッド（３）のラインアイ（３ｃ）の下のくびれに伸縮性を利用して引っ掛けて固定していることで、ウェイト（３ａ）もワーム本体（１）の先端部（１ａ）に押し付け固定されることになり、より確実にワーム本体（１）にジグヘッド（３）を装着することができるようになる。また、ワーム本体（１）とフック（３ｂ）との固定と、固定穴（２ａ）とラインアイ（３ｃ）との固定とで、ワーム本体（１）に装着されたジグヘッド（３）が回転（フック（３ｂ）の直線部（３ｂ−３）を軸とする回転）することなく天地を有するジグヘッド（３）であっても確実な装着をすることができる。さらに、ワーム本体（１）にフック（３ｂ）をフック通し穴（１ｅ）に通すだけで固定することができるので、初心者や熟練者にかかわらず誰でも容易にワーム本体（１）にジグヘッド（３）を装着することができる。
【実施例３】
【００４４】  以下、本発明の第３実施例を、図面を参照して説明する。図１３は、第３実施例のワーム本体の平面図、図１４は、第３実施例のワーム本体の正面図、図１５は、第３実施例のワーム本体の底面図、図１６は、第３実施例のワーム本体の左側面図、図１７は、第３実施例のワーム本体の右側面図、図１８は図１３のＡ−Ａ線断面図にジグヘッドを装着した状態を示した図、図１９は、図１８のＢ−Ｂ線拡大断面図である。【００４５】  次に、本発明の第３実施例のワーム本体（１）について説明をする。図１３乃至図１９に示されるようにワーム本体（１）は、ワーム本体（１）の先端部（１ａ）に、平面（上面）部分から長手方向に水平に延設した舌片として固定部（２）が備えられるとともに、固定部（２）には固定穴（２ａ）がワーム本体（１）の平面から底面方向に開孔して形成されている。また、図１４及び図１５に示されるように底面側には先端部（１ａ）からテール部（１ｂ）方向に向かってスリット（１ｄ）が形成されてワーム本体（１）の全体が構成される。なお、本実施例においてワーム本体（１）は、第１実施例及び第２実施例と同様に、優れた弾性及び伸縮性を有するエラストマーから形成されているので、素材についての説明は省略する。【００４６】  第３実施例のワーム本体（１）は、ワームの長手方向、すなわち図３８に示されるように中心軸方向にフックを真直ぐに刺すことなく、固定部（２）に開口された固定穴（２ａ）と底面側に形成されたスリット（１ｄ）によってジグヘッド（３）のウェイト（３ａ）、フック（３ｂ）、ラインアイ（３ｃ）が位置決めされて装着されるので、フック（３ｂ）を思ったとおりに真直ぐに刺しづらい特性のエラストマーであっても容易に装着することができる。【００４７】  固定穴（２ａ）は、ワーム本体（１）の平面（上面）部分の先端から長手方向に水平に延設した舌片として形成された固定部（２ａ）のほぼ中央部分に、平面から底面方向、すなわち上下方向に開孔して形成される。なお、固定穴（２ａ）は、図示では長孔で形成されているが、ラインアイ（３ｃ）部分が固定穴（２）の上方に突出し、ウェイト（３ａ）が上方に抜け出ることがなければ、固定部（２）のサイズや形状を含めてそのサイズや形状を限定するものではない。また、固定部（２）は、図示においてワーム本体（１）の平面（上面）部分の先端から長手方向に水平に延設した舌片として形成されているが、必ずしもワーム本体（１）の平面（上面）部分の先端から水平に延設形成する必要はなく、図示しないがワーム本体（１）の平面（上面）部分よりも少し下がった位置や、ワーム本体（１）の先端の上下方向の中程の位置から延設形成されていてもよく、延設形成される方向も水平ではなく上向きや下向きなど角度を付けて延設形成されていても良い。【００４８】  スリット（１ｄ）は、図１４及び図１５に示されるように、底面側には先端部（１ａ）からテール部（１ｂ）方向に向かってスリット（１ｄ）が形成されている。また、スリット（１ｄ）は、ジグヘッド（３）のフック（３ｂ）をワーム本体（１）の適切な位置に安定的に案内及び保持するための溝であって、主にフック（３ｂ）の直線部（３ｂ−３）を両側から挟み込んで保持する��めに形成されている。なお、スリット（１ｄ）の幅は、フック（３ｂ）を無理なく両側から挟み込んで保持することができれば良く、長さ、幅、深さなどを限定するものではない。【００４９】  以上説明したように構成されたワーム本体（１）に、ジグヘッド（３）を装着する方法について図２０を参照して詳細に説明する。図２０は、第３実施例のワーム本体（１）にジグヘッド（３）を装着する手順を示した図で、図２０（Ａ）から図２０（Ｅ）まで順を追って説明する。なお、何れの図もジグヘッド（３）にライン（４）が予め装着されていることを前提として示している。【００５０】（手順１：図２０（Ａ）（Ｂ）参照）
固定部（２）の固定穴（２ａ）を拡げて、ジグヘッド（３）のフック（３ｂ）からウェイト（３ａ）にかけての部分を矢印の方向に押し込み、固定穴（２ａ）をラインアイ（３ｃ）の下のくびれに伸縮性を利用して引っ掛けて固定する。
（手順２：図２０（Ｃ）参照）
テール部（１ｂ）を持ち上げ、スリット（１ｄ）にフック（３ｂ）を押し込む。
（手順３：図２０（Ｄ）参照）
スリット（１ｂ）のテール部（１ｂ）側にフック（３ｂ）の先端部（３ｂ−１）をワーム本体（１）の平面側に向かって突き刺して突出させる。
（手順４：図８（Ｅ）参照）
持ち上げたテール部（１ｂ）をもとに戻して整え装着完了となる。【００５１】  以上のようにして、第３実施例のワーム本体（１）にジグヘッド（３）が装着されて、ジグヘッドリグとして使用することができるようになる。ジグヘッド（３）が装着されたワーム本体（１）は、ジグヘッド（３）のラインアイ（３ｃ）の下のくびれに固定部（２）と固定穴（２ａ）の伸縮性を利用して引っ掛けて固定していることで、ウェイト（３ａ）もワーム本体（１）の先端部（１ａ）に押し付け固定されることになり、より確実にワーム本体（１）にジグヘッド（３）を装着することができるようになる。また、ワーム本体（１）とフック（３ｂ）との固定と、固定穴（２ａ）とラインアイ（３ｃ）との固定とで、ワーム本体（１）に装着されたジグヘッド（３）が回転（フック（３ｂ）の直線部（３ｂ−３）を軸とする回転）することなく天地を有するジグヘッド（３）であっても確実な装着をすることができる。このとき図３９に示されるようなジグヘッド（３）でも同様にして固定することができる。そして、スリット（１ｄ）には、フック（３ｂ）の直線部（３ｂ−３）と湾曲部（３ｂ−２）の一部がスリット（１ｄ）の間に挟まれて保持されるとともに、スリット（１ｄ）の天井部分から先端部（３ｂ−１）を突き刺してワーム本体（１）の平面（上面）部分に突出させてワーム本体（１）にジグヘッド（３）が装着される。【００５２】  また、本発明においては、ジグヘッド（３）にライン（４）が予め装着された状態であっても、ワーム本体（１）にジグヘッド（３）を容易に装着可能としたものであるが、ジグヘッド（３）にライン（４）が予め装着されていない場合は、固定穴（２）を拡げてジグヘッド（３）を押し込むのではなく、固定穴（２）の底面側からラインアイ（３ｃ）を単に差し入れるとともに、スリット（１ｄ）の奥にフック（３ｂ）を突き刺して装着すれば良いことは言うまでもない。
【実施例４】
【００５３】  以下、本発明の第４実施例を、図面を参照して説明する。図２１は、第４実施例のワーム本体の平面図、図２２は、第４実施例のワーム本体の正面図、図２３は、第４実施例のワーム本体の底面図、図２４は、図２１のＡ−Ａ線断面図にジグヘッドを装着した状態を示した図、図２５は、図２４のＢ−Ｂ線拡大断面図である。なお、第４実施例の構成において第１実施例と共通する内容については省略して説明をする。【００５４】  第４実施例においては、第３実施例に形成されたスリット（１ｄ）の態様を変化させたものである。第４実施例におけるにスリット（１ｄ）は、図２２及び図２３に示されるように底面側に先端部（１ａ）からテール部（１ｂ）方向に向かって底面側の天井を有するスリット（１ｄ）が形成されるとともに、図２１乃び図２２に示されるようにワーム本体（１）の平面側に長手方向に沿って平面側の有底のスリット（１ｄ）が開孔形成され、底面側と平面側の両方のスリット（１ｄ）は、内部で連続した同一の空間を形成する。そして平面側の有底のスリット（１ｄ）の下方は、自ずと抜止部（１ｆ）となって形成されフック（３ｂ）の抜け止めとして作用する。【００５５】  図２４に示されるように、ワーム本体（１）に装着されたジグヘッド（３）のフック（３ｂ）は、ワーム本体（１）の底面側と平面側の両方のスリット（１ｄ）で形成された連続した空間に安定的に案内及び保持されることによって、ワーム本体（１）にフック（３ｂ）を突き刺すことなく装着することができる。また、装着されたフック（３ｂ）は、スリット（１ｄ）に直線部（３ｂ−３）が挟み込まれて保持され、図２４及び図２５に示されるように、直線部（３ｂ−３）から湾曲部（３ｂ−２）にかけての部分が抜止部（１ｆ）に係止されることによって、フック（３ｂ）の下方へのずれが抑止され、ワーム本体（１）からずれたり外れたりすることなく確実に保持して装着することが可能となる。【００５６】  以上のようにして、第４実施例のワーム本体（１）にジグヘッド（３）が装着されて、ジグヘッドリグとして使用することができるようになる。第４実施例においては、第３実施例のようにワーム本体（１）にフック（３ｂ）の先端部（３ｂ−１）を突き刺して装着することがないため、ワーム本体（１）に与える損傷を無くすことができたものである。
【実施例５】
【００５７】  以下、本発明の第５実施例を、図面を参照して説明する。図２６は、第５実施例のワーム本体の平面図、図２７は、第５実施例のワーム本体の正面図、図２８は、第５実施例のワーム本体の底面図、図２９は、図２６のＡ−Ａ線断面図にジグヘッドを装着した状態を示した図、図３０は、図２９のＢ−Ｂ線拡大断面図である。なお、第５実施例の構成において第３実施例及び第４実施例と共通する内容については省略して説明をする。【００５８】  第５実施例においては、第４実施例で形成されたワーム本体（１）の平面部に長手方向に沿って平面側に形成された有底のスリット（１ｄ）の底の部分にスリット（１ｄ）の幅よりも狭いスリットを底面方向に貫通開孔させて抜止部（１ｅ）を形成したことを特徴とする。ワーム本体（１）は、弾性及び伸縮性を有するエラストマーから形成されており、図２６乃至図３０に示されるように、ワーム本体（１）の平面（上面）部分の先端部（１ａ）から長手方向に水平に延設した舌片として形成された固定部（２）が形成されるとともに、固定部（２）の中央部分には、固定穴（２ａ）を平面から底面方向に貫通開口して形成する。また、図２６乃至図３０に示されるように、ワーム本体（１）の底面側には、先端部（１ａ）からテール部（１ｂ）方向に向かって底面側の天井を有するスリット（１ｄ）が形成されるとともに、ワーム本体（１）の平面部に長手方向に沿って平面側に形成された有底のスリット（１ｄ）が形成され、底面側と平面側の両方のスリット（１ｄ）は、内部で連続した同一の空間を形成する。そして平面側の有底のスリット（１ｄ）の底部分は、自ずと抜止部（１ｆ）となり、フック（３ｂ）の抜け止めとして作用する。また、平面側に形成された有底のスリット（１ｄ）の底部分に、さらに底面側に向かって平面側に形成された有底のスリット（１ｄ）の長手方向と直行する方向の幅よりも狭いスリット（１ｄ）が貫通開孔して形成され、第５実施例のワーム本体（１）が構成される。【００５９】  図２９に示されるように、ワーム本体（１）に装着されたジグヘッド（３）のフック（３ｂ）は、ワーム本体（１）の底面側と平面側の両方のスリット（１ｄ）で形成された連続した空間に安定的に案内及び保持されることによって、ワーム本体（１）にフック（３ｂ）を突き刺すことなく装着することができる。また、装着されたフック（３ｂ）は、スリット（１ｄ）に直線部（３ｂ−３）が挟み込まれて保持され、図２９及び図３０に示されるように、直線部（３ｂ−３）から湾曲部（３ｂ−２）にかけての部分が抜止部（１ｆ）に係止されることによって、フック（３ｂ）の下方へのずれが抑止され、ワーム本体（１）からずれたり外れたりすることなく確実に保持して装着することが可能となる。また、ワーム本体（１）の平面部に長手方向に沿って平面側に形成された有底のスリット（１ｄ）の底の部分は、さらにスリット（１ｄ）の幅よりも狭いスリットを底面方向に貫通開孔しているので、こ貫通開孔した部分にフック（３ｂ）を通すことができ、さらなる装着の容易性と確実な装着を実現させたものである。【００６０】  以上のようにして、第５実施例のワーム本体（１）にジグヘッド（３）が装着されて、ジグヘッドリグ���して使用することができるようになる。第５実施例においては、第３実施例のようにワーム本体（１）にフック（３ｂ）の先端部（３ｂ−１）を突き刺して装着することがないため、ワーム本体（１）に与える損傷を無くすことができたものである。
【実施例６】
【００６１】  以下、本発明の第６実施例を、図面を参照して説明する。図３１は、第６実施例のワーム本体の平面図、図３２は、第６実施例のワーム本体の正面図、図３３は、第６実施例のワーム本体の底面図、図３４は、第４実施例のワーム本体の左側面図、図３５は、第６実施例のワーム本体の右側面図、図３６は、図３１のＡ−Ａ線断面図にジグヘッドを装着した状態を示した図、図３７は、第６実施例の固定穴を拡げた状態を示した図である。なお、第６実施例の構成において第３実施例乃至第５実施例と共通する内容については省略して説明をする。【００６２】  第６実施例においては、第３実施例乃至第５実施例の構成に加えて、ワーム本体（１）の固定部（２）の平面視面積をワーム本体（１）の先端部（１ａ）の幅よりも大きく拡張して形成したことを特徴とする。ワーム本体（１）は、第３実施例乃至第５実施例と同様に、弾性及び伸縮性を有するエラストマーから形成されており、図３１乃至図３６に示されるように、ワーム本体（１）の平面（上面）部分の先端から長手方向に水平に延設した舌片として形成された固定部（２）が形成されるとともに、固定部（２）は、平面視面積をワーム本体（１）の先端部（１ａ）の幅よりも大きく拡張して形成した。また、固定部（２）の中央部分には、固定穴（２）を平面から底面方向に貫通開口して形成し、底面側には、先端部（１ａ）の後方からテール部（１ｂ）方向に向かってスリット（１ｄ）が形成されて構成される。【００６３】  図３１乃至図３３に示されるように、ワーム本体（１）の先端部（１ａ）の幅よりも大きく平面視面積を拡張された固定部（２）は、投げたジグヘッドリグをリールなどで巻き取るときに、固定部（２）で水の抵抗を受けやすくなり、巻き取るスピードを手もとで敏感に感じやすくなるといった効果を得ることができる。そのため、ワーム本体（１）のスピードを手もとで敏感に感じながら、水中での動きを細かくコントロールすることができるようになる。また、ライン（４）のテンションを抜いて沈下させたときに、沈下スピードを下げることもできるようになる。その結果、バイトチャンスが増加するなど釣果に好影響を与えることが可能となった。
【実施例７】
【００６４】  以下、本発明の第７実施例を、図面を参照して説明する。第７実施例は、第６実施例の応用であるので図面は第６実施例の図３１乃至図３６に加えて図３７の第６実施例の固定穴を拡げた状態を示した図を用いて説明をする。【００６５】  第７実施例においては、第４実施例のワーム本体（１）の固定部（２）の平面視面積をワーム本体（１）の先端部（１ａ）の幅よりも大きく拡張して形成したことに追加して、固定部（２）平面部の中程で、かつ固定穴（２ａ）の周囲に、凹部（２ｂ）を形成して構成したことを特徴としている。【００６６】  図３１乃至図３３に示されるように、ワーム本体（１）の固定部（２）の平面視面積をワーム本体（１）の先端部（１ａ）の幅よりも大きく拡張して形成するとともに、固定部（２）平面部の中程で、かつ固定穴（２ａ）の周囲に形成した凹部（２ｂ）は、固定穴（２ａ）の周囲の肉厚が薄肉となるように形成されている。これによって、図３７に示されるように、凹部（２ｂ）によって固定穴（２ａ）周囲がより柔軟になることと、固定部（２）と凹部（２ｂ）との境目が指掛けとなることで、固定穴（２ａ）をより容易に拡げやすくなり、ジグヘッド（３）のフック（３ｂ）やウェイト（３ａ）を押し込む際の装着容易性を格段に向上させた。なお、凹部（２ｂ）は図示においては凹面として示しているが、単に１段落として凹ませた平面の凹部（２ｂ）であっても差し支えない。
【符号の説明】
【００６７】            １        ワーム本体
１ａ      先端部
１ｂ      テール部
１ｃ      フックガイド
１ｄ      スリット
１ｄ−１  前側立壁
１ｅ      フック通し穴
１ｆ      抜止部
２        固定部
２ａ      固定穴
２ｂ      凹部
３        ジグヘッド
３ａ      ウェイト
３ｂ      フック
３ｂ−１  先端部
３ｂ−２  湾曲部
３ｂ−３  直線部
３ｃ      ラインアイ
４        ライン
１１      ワーム
【図１】
2020080864.tif 000003
【図２】
2020080864.tif 000004
【図３】
2020080864.tif 000005
【図４】
2020080864.tif 000006
【図５】
2020080864.tif 000007
【図６】
2020080864.tif 000008
【図７】
2020080864.tif 000009
【図８】
2020080864.tif 000010
【図９】
2020080864.tif 000011
【図１０】
2020080864.tif 000012
【図１１】
2020080864.tif 000013
【図１２】
2020080864.tif 000014
【図１３】
2020080864.tif 000015
【図１４】
2020080864.tif 000016
【図１５】
2020080864.tif 000017
【図１６】
2020080864.tif 000018
【図１７】
2020080864.tif 000019
【図１８】
2020080864.tif 000020
【図１９】
2020080864.tif 000021
【図２０】
2020080864.tif 000022
【図２１】
2020080864.tif 000023
【図２２】
2020080864.tif 000024
【図２３】
2020080864.tif 000025
【図２４】
2020080864.tif 000026
【図２５】
2020080864.tif 000027
【図２６】
2020080864.tif 000028
【図２７】
2020080864.tif 000029
【図２８】
2020080864.tif 000030
【図２９】
2020080864.tif 000031
【図３０】
2020080864.tif 000032
【図３１】
2020080864.tif 000033
【図３２】
2020080864.tif 000034
【図３３】
2020080864.tif 000035
【図３４】
2020080864.tif 000036
【図３５】
2020080864.tif 000037
【図３６】
2020080864.tif 000038
【図３７】
2020080864.tif 000039
【図３８】
2020080864.tif 000040
【図３９】
2020080864.tif 000041
【図４０】
2020080864.tif 000042